(57)【特許請求の範囲】
【請求項１】
無線ネットワークに新規に接続する印刷装置と、
前記印刷装置に前記無線ネットワークへの接続に関する接続設定を行う端末装置と、を備え、
前記印刷装置は、所定の条件下において、予め定められた通信設定に従って前記端末装置に１対１で無線接続する接続モードを実行し、
前記端末装置は、前記無線ネットワークと接続している場合には接続を終了し、前記接続モードを実行する前記印刷装置に１対１で無線接続して接続確認コマンドを前記印刷装置に送信し、前記印刷装置から前記接続確認コマンドに対する応答として前記印刷装置のＭＡＣアドレスを受信すると前記接続設定を実行し、設定後に前記印刷装置との無線接続を終了して前記無線ネットワークに接続し、前記端末装置の表示部に前記印刷装置の前記ＭＡＣアドレスを表示させること、
を特徴とする通信システム。
【請求項２】
前記印刷装置は、電源が投入されると、設定されている前記通信設定を印刷し、前記接続モードへ移行すること、
を特徴とする請求項１記載の通信システム。
【請求項３】
前記印刷装置は第１の無線通信部を備え、前記端末装置は第２の無線通信部を備え、
前記印刷装置は、前記接続モードで、前記第１の無線通信部を予め定められた前記通信設定に従って動作させ、
前記端末装置は、前記印刷装置で予め定められた前記通信設定に対応する通信設定に従って前記第２の無線通信部を動作させて、前記印刷装置に無線接続し、前記接続設定後に前記第２の無線通信部の通信設定を前記接続設定の少なくとも一部と同一の設定をすることにより前記無線ネットワークに接続すること、
を特徴とする請求項１又は２記載の通信システム。
【請求項４】
前記印刷装置は、前記端末装置により前記接続設定がされた後に、前記第１の無線通信部を再起動させて前記第１の無線通信部の通信設定を前記接続設定に従って変更し、前記第１の無線通信部により前記無線ネットワークに無線接続すること、
を特徴とする請求項３記載の通信システム。
【請求項５】
前記印刷装置は、前記第１の無線通信部の設定が初期状態である場合に、前記接続モードを実行し、前記第１の無線通信部が前記端末装置により前記接続設定された状態である場合は前記無線ネットワークに接続すること、
を特徴とする請求項３又は４記載の通信システム。
【請求項６】
前記印刷装置は、前記接続モードの実行中において少なくとも前記端末装置が前記接続設定を実行するときにアクセスポイントとして動作し、前記端末装置と１対１で無線接続すること、
を特徴とする請求項１から４のいずれかに記載の通信システム。
【請求項７】
無線ネットワークに新規に接続する印刷装置の通信設定方法において、
前記印刷装置と、前記印刷装置に接続可能な端末装置とを動作させ、
前記印刷装置により、所定の条件下において、予め定められた通信設定に従って前記端末装置に１対１で無線接続する接続モードを実行し、
前記無線ネットワークと接続している場合には接続を終了する前記端末装置により、前記接続モードを実行する前記印刷装置に１対１で無線接続させ、前記無線接続した前記印刷装置に接続確認コマンドを送信して前記接続確認コマンドに対する応答として前記印刷装置のＭＡＣアドレスを前記印刷装置から受信させ、前記ＭＡＣアドレスの受信後に前記無線ネットワークへの接続に関する接続設定を実行させ、設定後に前記印刷装置との無線接続を終了して前記無線ネットワークに接続し、前記印刷装置の前記ＭＡＣアドレスを前記端末装置の表示部に表示させること、
を特徴とする通信設定方法。
【発明の詳細な説明】
【技術分野】
【０００１】
本発明は、通信システム及び通信設定方法に関する。
【背景技術】
【０００２】
近年、装置間の通信を実現する通信技術は大幅に進歩し、多様な装置が通信機能を搭載するようになっている（例えば、特許文献１参照）。特許文献１に記載されたような、非接触タグを利用したＮＦＣ（近距離無線通信）は、複雑な設定をせず通信が可能である。一方、高度な通信機能を有する従来の通信方式においては、通信相手やアドレス等の通信に係る設定を行う必要があった。例えば、特許文献２には、通信相手のデバイス名や装置ＩＤ番号、或いは、無線アドレスや通信相手との間で設定したパスワードなどの設定が困難な作業であることに鑑み、設定を支援する手法が開示される。特許文献２記載の手法によれば、カメラにより撮影された画像から、通信パラメーターを抽出し、通信インターフェースに設定する。
【先行技術文献】
【特許文献】
【０００３】
【特許文献１】特表２０１２−５２３７２７号公報
【特許文献２】特開２００４−８６４９２号公報
【発明の概要】
【発明が解決しようとする課題】
【０００４】
しかしながら、特許文献２記載の方法は適用対象の装置がカメラを備えることが必要である。従って、カメラ等の手段を持たない装置において、通信に係る設定を簡単に行えるようにする手法が望まれていた。
本発明は上記事情に鑑みてなされたものであり、通信に係る設定の簡易化を実現し得る通信システム、通信設定方法、及び、印刷装置を提供することを目的とする。
【課題を解決するための手段】
【０００５】
上記目的を達成するために、本発明の通信システムは、ネットワークに新規に接続する接続装置と、前記接続装置に前記ネットワークへの接続に関する接続設定を行う端末装置と、を備え、前記接続装置は、所定の条件下において、予め定められた通信設定に従って前記端末装置に無線接続する接続モードを実行し、前記端末装置は、前記接続モードを実行する前記接続装置に無線接続して、前記接続設定を実行し、設定後に前記接続装置との無線接続を終了することを特徴とする。
本発明によれば、ネットワークに新規に接続する接続装置の設定を、端末装置の制御により行うことができる。端末装置の機能を利用して接続装置の設定を行うので、例えば接続装置においては設定内容の入力操作を省略したり、簡易化したりすることが可能になる。さらに、接続装置が予め定められた通信設定を利用することにより、端末装置を接続装置に容易に接続できる。このため、接続装置をネットワークに接続する接続設定に伴う作業を簡易化できる。
【０００６】
また、本発明は、上記通信システムにおいて、前記接続装置は第１の無線通信部を備え、前記端末装置は第２の無線通信部を備え、前記接続装置は、前記接続モードで、前記第１の無線通信部を予め定められた前記通信設定に従って動作させ、前記端末装置は、前記接続装置で予め定められた前記通信設定に対応する通信設定に従って前記第２の無線通信部を動作させて、前記接続装置に無線接続し、前記接続設定後に前記第２の無線通信部の通信設定を変更することを特徴とする。
本発明によれば、接続装置と端末装置とを予め定められた通信設定により無線接続して、接続装置を接続させるネットワークの接続設定を、端末装置の制御により行うことができる。このため、接続装置をネットワークに接続する接続設定に伴う作業を簡易化できる。
【０００７】
また、本発明は、上記通信システムにおいて、前記接続装置は、前記端末装置により前記接続設定がされた後に、前記第１の無線通信部の通信設定を前記接続設定に従って変更し、前記第１の無線通信部により前記ネットワークに無線接続することを特徴とする。
本発明によれば、端末装置により設定された接続設定に従って、接続装置をネットワークに無線接続させることができる。
【０００８】
また、本発明は、上記通信システムにおいて、前記接続装置は、前記端末装置により前記接続設定がされた後に、前記第１の無線通信部を再起動させて前記第１の無線通信部の通信設定を変更することを特徴とする。
本発明によれば、第１の無線通信部の通信設定の変更を有効にすることができる。
【０００９】
また、本発明は、上記通信システムにおいて、前記接続装置は、前記第１の無線通信部の設定が初期状態である場合に、前記接続モードを実行し、前記第１の無線通信部が前記端末装置により通信設定された状態である場合は前記ネットワークに接続することを特徴とする。
本発明によれば、第１の無線通信部の通信設定がなされない初期状態においては、接続モードにより接続装置と端末装置とを接続して、接続装置を接続させるネットワークの接続設定を、端末装置の制御により行うことができる。また、第１の無線通信部が通信設定された場合には、第１の無線通信部を、設定されたネットワークに自動的に接続することができる。
【００１０】
また、本発明は、上記通信システムにおいて、前記接続装置は、前記接続モードの実行中において少なくとも前記端末装置が前記接続設定を実行するときに、前記端末装置と１対１で無線接続することを特徴とする。
本発明によれば、接続装置と端末装置とを１対１で簡易的に接続して、接続装置を接続させるネットワークの接続設定を、端末装置の制御により行うことができる。
【００１１】
本発明の通信設定方法は、ネットワークに新規に接続する接続装置の通信設定方法において、前記接続装置と、前記接続装置に接続可能な端末装置とを動作させ、前記接続装置により、所定の条件下において、予め定められた通信設定に従って前記端末装置に無線接続する接続モードを実行し、前記端末装置により、前記接続モードを実行する前記接続装置に無線接続して、前記ネットワークへの接続に関する接続設定を実行し、設定後に前記接続装置との無線接続を終了することを特徴とする。
本発明によれば、ネットワークに新規に接続する接続装置の設定を、端末装置の制御により行うことができる。端末装置の機能を利用して接続装置の設定を行うので、例えば接続装置においては設定内容の入力操作を省略したり、簡易化したりすることが可能になる。さらに、接続装置が予め定められた通信設定を利用することにより、端末装置を接続装置に容易に接続できる。このため、接続装置をネットワークに接続する接続設定に伴う作業を簡易化できる。
【００１２】
本発明の接続装置は、ネットワークに接続可能な通信部を備え、所定の条件下において、予め定められた通信設定に従って外部装置に無線接続する接続モードを実行し、前記外部装置の制御に従って前記通信部が前記ネットワークへの接続に関する接続設定を実行し、設定後に前記外部装置との無線接続を終了して、前記通信部により前記ネットワークに接続することを特徴とする。
本発明によれば、ネットワークに新規に接続する接続装置の設定を、外部装置の制御により行うことができる。外部装置の機能を利用して接続装置の設定を行うので、例えば接続装置においては設定内容の入力操作を省略したり、簡易化したりすることが可能になる。さらに、接続装置が予め定められた通信設定を利用することにより、外部装置を接続装置に容易に接続できる。このため、接続装置をネットワークに接続する接続設定に伴う作業を簡易化できる。
【図面の簡単な説明】
【００１３】
【図１】通信システムのシステム構成図である。
【図２】印刷装置の構成図である。
【図３】印刷装置の制御部の機能ブロックである。
【図４】印刷装置と端末装置とが１対１で無線接続された様子を示す図である。
【図５】アクセスポイントに無線接続した印刷装置を示す図である。
【図６】端末装置の構成図である。
【図７】端末装置の制御部の機能ブロック図である。
【図８】アクセスポイントに無線接続した印刷装置と端末装置とを示す図である。
【図９】タッチパネルの表示例を示す図である。
【図１０】端末装置と印刷装置の処理手順を示すフローチャートである。
【図１１】端末装置と印刷装置の処理手順を示すフローチャートである。
【図１２】端末装置に表示される画面の例を示す図である。
【図１３】端末装置に表示される画面の例を示す図である。
【図１４】端末装置に表示される画面の例を示す図である。
【図１５】端末装置に表示される画面の例を示す図である。
【発明を実施するための形態】
【００１４】
以下、添付の図面を参照しながら本発明の実施形態について説明する。図１は、通信システム１のシステム構成図である。
通信システム１は、印刷装置２と、端末装置３とを備えて構成される。印刷装置２は、使用者の身体（腰など）に装着され、或いは入れ物に収容された状態で携帯して使用可能な、モバイルプリンターである。また、端末装置３は、後述するように通信機能を備えた装置であり、本実施形態ではタッチパネル３２を備えたタブレット型コンピューターを用いた例を示す。
【００１５】
端末装置３は、端末装置３をＰＯＳ（Point Of Sale)端末として使用する、いわゆるモバイルＰＯＳシステムを構成する。また、印刷装置２は、上記ＰＯＳシステムにおいて、レシート等を印刷する用途で使用される。
【００１６】
また、図１には、アクセスポイント４Ａを有する無線ネットワーク５Ａと、アクセスポイント４Ｂを有する無線ネットワーク５Ｂとを図示する。アクセスポイント４Ａは、無線ネットワーク５Ａ内の機器間の通信を中継する装置であり、ネットワークルーターやブリッジとしての機能を備えていてもよい。アクセスポイント４Ｂについても同様である。
無線ネットワーク５Ａ、５Ｂは、それぞれ独立して、ＰＯＳシステムとして動作する。すなわち、無線ネットワーク５Ａは、印刷装置２と端末装置３とを含む複数の装置を相互に接続して、これらの装置の機能により、ＰＯＳシステムとして動作する。また、無線ネットワーク５Ｂは、印刷装置２と端末装置３とを含む複数の装置を相互に接続して、これらの装置の機能により、ＰＯＳシステムとして動作する。
以下の説明では、アクセスポイント４Ａとアクセスポイント４Ｂとを区別する必要がない場合には、アクセスポイント４と表記し、無線ネットワーク５Ａと無線ネットワーク５Ｂとを区別する必要がない場合にも、無線ネットワーク５と表記する。
【００１７】
無線ネットワーク５Ａは、無線ネットワーク５Ａを他の無線ネットワークと識別するネットワーク識別子を有する。無線ネットワーク５Ｂも同様にネットワーク識別子を有する。ネットワーク識別子は無線ネットワーク５Ａ、５Ｂそれぞれに固有であり、例えば無線ネットワーク５Ａのネットワーク識別子は、無線ネットワーク５Ｂとは異なる。
また、無線ネットワーク５Ａに接続する装置は、無線ネットワーク５Ａに接続する他の装置と識別するための固有のネットワーク情報を有する。このネットワーク情報は、無線ネットワーク５Ａに接続する装置の中で、各装置に固有の情報である。無線ネットワーク５Ｂに接続する装置も、無線ネットワーク５Ｂに接続する他の装置と識別するための固有のネットワーク情報を有する。
このように、無線ネットワーク５Ａ、５Ｂのそれぞれは、ネットワーク識別子により特定される。また、無線ネットワーク５Ａ、５Ｂのそれぞれにおいて、無線ネットワークに接続する装置はネットワーク情報により特定される。
さらに、無線ネットワーク５Ａ、５Ｂのそれぞれは、接続を制限する鍵情報を有していてもよい。この場合、無関係な装置による無線ネットワーク５Ａ、５Ｂへの接続を防止できる。
【００１８】
本実施形態では一例として、無線ネットワーク５Ａ、５Ｂを、例えば、ＩＥＥＥ８０２．１１ｘで規定される無線ＬＡＮ（Local Area Network）とし、特に、ＷｉＦｉ（登録商標）に準拠した構成として説明する。この場合、ネットワークの識別子はＳＳＩＤ（Service Set Identifier）であり、鍵情報はパスフレーズ及び暗号化方式を含む。パスフレーズは、無線ＬＡＮによる通信を暗号化するための使用される暗号鍵であり、暗号化方式としてはＷＥＰ（Wired Equivalent Privacy）、ＷＰＡ（Wi-Fi Protected Access）、或いはこれらを拡張／改良した暗号化方式を採用できる。また、ネットワーク情報は、例えばＩＰアドレスである。
【００１９】
本実施形態の印刷装置２及び端末装置３は、１つのＳＳＩＤ及び１組の鍵情報を有し、このＳＳＩＤと鍵情報により無線ネットワーク５Ａ、または、無線ネットワーク５Ｂのいずれかに接続する。ここでは、同時に複数のＳＳＩＤ及び鍵情報を使用する構成は考慮しない。
【００２０】
本実施形態では、通信システム１を構成する印刷装置２を、無線ネットワーク５Ａに新規に接続するために、端末装置３により接続設定を行う動作について説明する。
概要を説明する。印刷装置２は、無線ネットワーク５Ａに接続するためのＳＳＩＤ及び鍵情報を有さないため、無線ネットワーク５Ａに接続できない状態にある。一方、端末装置３は、無線ネットワーク５Ｂに接続した状態にあるが、これは一例であり、端末装置３は、無線ネットワーク５Ａ、５Ｂのいずれにも接続されない状態であってもよいし、無線ネットワーク５Ａに接続されてもよい。
接続設定を行う場合、印刷装置２は、デフォルトのＳＳＩＤ及び鍵情報により通信する状態（以下、第１モードという）に移行する。デフォルトのＳＳＩＤは、無線ネットワーク５Ａ、５ＢのＳＳＩＤとは異なる。また、端末装置３も、予め設定されたＳＳＩＤ及び鍵情報により通信する状態（以下、第１モードという）に移行する。このＳＳＩＤ及び鍵情報は、印刷装置２のデフォルトのＳＳＩＤ及び鍵情報と同一である。第１モードにおいて端末装置３は、無線ネットワーク５Ａ、５Ｂとは異なるＳＳＩＤで通信するので、無線ネットワーク５Ａ、５Ｂに接続しない。このため、印刷装置２と端末装置３とは相互に通信可能である一方、無線ネットワーク５Ａ、５Ｂに接続しない。この第１モードでは、印刷装置２と端末装置３とは、ＩＥＥＥ８０２．１１規格に規定されたアドホックモードで動作してもよいし、印刷装置２または端末装置３のいずれかがアクセスポイントとして動作してもよい。この第１モードで印刷装置２に無線ネットワーク５Ａの接続設定、すなわちＳＳＩＤと鍵情報が設定され、印刷装置２は無線ネットワーク５Ａに接続可能な状態となる。
【００２１】
この説明では、接続装置として印刷装置２を例に挙げて説明するが、接続装置は印刷装置２に限られない。例えば、接続装置として、画像を読み取るスキャナー装置や、画像を表示する表示装置を用いることもできる。
また、通信システム１は、複数の印刷装置２を備えていてもよいし、印刷装置２以外の接続装置を備えていてもよく、この場合、端末装置３は、後述する動作を各々の接続装置に対して実行し、接続設定を行えば良い。また、端末装置３の数についても制限はなく、例えば通信システム１が複数の端末装置３を備える場合、各々の端末装置３が後述する動作を実行して、接続装置に対して接続設定を行えばよい。また、無線ネットワーク５Ａ、５Ｂに接続される他の装置の種類及び数は、勿論任意に変更可能である。
【００２２】
まず、図２を参照しながら印刷装置２について説明する。
図２は、印刷装置２の構成の一例を示す図である。この図２に示すように、印刷装置２は、操作部２１と、第１無線通信部２２と、印刷部２３と、制御部２４とを備える。
【００２３】
操作部２１には、操作ボタンが設けられる。本実施形態では、操作ボタンとして、電源ボタン２１１と、接続設定ボタン２１２とが設けられる（図１参照）。電源ボタン２１１は、印刷装置２の電源のオン、オフを切り替える操作ボタンである。接続設定ボタン２１２は、印刷装置２を、予め定められた通信設定に従って無線通信させ、端末装置３に無線接続させる接続モード（以下、第１モードという）を実行させる操作ボタンである。なお、印刷装置２を第１モードで無線通信させるための通信設定については、後述する。
【００２４】
第１無線通信部２２は、無線通信デバイスとして、例えば、ＮＩＣ（Network Interface Card）等を備え、無線ＬＡＮ（例えば、Ｗｉ−Ｆｉ）による無線通信を行う。すなわち、第１無線通信部２２は、アクセスポイント４Ａ、４Ｂ、及び、後述する端末装置３の第２無線通信部３４と通信可能な機能を有する。
【００２５】
印刷部２３は、印刷ヘッド（例えば、サーマルヘッド）を備え、後述する印刷制御部２５（図３参照）の制御により、レシート用紙等の印刷媒体に印刷データを印刷する。
【００２６】
制御部２４は、ハードウェアとして、ＣＰＵ（Central Processing Unit）２４１、ＲＯＭ（Read Only Memory）２４２、ＲＡＭ（Random Access Memory）２４３、不揮発性メモリー２４４を備える。ＲＯＭ２４２には、印刷装置２を制御する制御プログラムが保存される。ＲＡＭ２４３は、ＣＰＵ２４１のワークメモリーとして使用され、ＣＰＵ２４１が演算に使用するデータが保存される。ＣＰＵ２４１は、ＲＡＭ２４３をワークメモリーとして使用しながら、ＲＯＭ２４２に保存された制御プログラムに従って演算を行うことにより、操作部２１、第１無線通信部２２、印刷部２３を制御する。不揮発性メモリー２４４には、第１無線通信部２２を、後述する第１モードで無線通信させる際に使用する、デフォルトの通信設定を記憶する。この通信設定は、ＳＳＩＤ及びパスフレーズ等の情報を含む。また、不揮発性メモリー２４４に記憶される通信設定は、無線通信の通信プロトコル、暗号化方式、ＩＰアドレス等の通信アドレスを示す情報を含んでもよい。さらに、不揮発性メモリー２４４には、デフォルトの通信設定とは別に、少なくとも１つの通信設定を記憶できる。この通信設定は書き換え可能であり、後述する処理で端末装置３から受信する情報に基づき、記憶される。
なお、不揮発性メモリー２４４は、印刷装置２の電源がオフされた後もデータを記憶する記憶装置であり、例えば、フラッシュメモリー、ＥＥＰＲＯＭ、ＳＤカード、磁気記憶装置等を用いることができる。
【００２７】
印刷装置２のＣＰＵ２４１が、ＲＯＭ２４２に保存された制御プログラムを実行する等、ハードウェアとソフトウェアとの協働により実現される機能ブロックについて、図３を参照しながら説明する。制御部２４は、機能ブロックとして、印刷制御部２５と、接続制御部２６とを備える。
【００２８】
印刷制御部２５は、端末装置３から送信される印刷データを受信する。印刷制御部２５は、印刷部２３を制御して、レシート用紙に印刷データを印刷（発行）させる。
【００２９】
接続制御部２６は、第１無線通信部２２を制御して、第１無線通信部２２を、第１モード又は第２モードで無線通信させる。第１モードは、上述したように、親機であるアクセスポイント４を介さずに、例えば、印刷装置２や、端末装置３といった子機同士が１対１で直接通信するモードである。第２モードは、親機であるアクセスポイント４を介して印刷装置２や端末装置３といった子機同士が通信するモードである。
【００３０】
接続制御部２６は、所定の条件下において、第１無線通信部２２を第１モードで無線通信させて、端末装置３に無線接続させる。端末装置３との接続の際、印刷装置２は、アクセスポイントとして動作し、端末装置３と１対１で無線接続する。所定の条件とは、例えば、製品出荷された印刷装置２の電源を最初にオンさせる場合や、操作部２１の接続設定ボタン２１２が押下された場合等を挙げることができる。このような所定の条件下においては、接続制御部２６は、第１無線通信部２２を、不揮発性メモリー２４４に記憶されたデフォルトの通信設定に設定し、第１無線通信部２２を第１モードで無線通信させる。第１無線通信部２２に、デフォルトのＳＳＩＤ、パスフレーズが設定されることで、第１無線通信部２２は、同一のＳＳＩＤとパスフレーズとが設定された端末装置３に無線接続する。端末装置３に無線接続した第１無線通信部２２は、端末装置３と直接、１対１で無線通信を行う。図４に、第１モードで無線通信する印刷装置２と端末装置３とが、１対１で直接接続された様子を示す。
【００３１】
また、接続制御部２６は、第１モードにより無線接続した端末装置３から接続設定の情報を受信する。接続設定の情報には、例えば、印刷装置２を接続させる無線ネットワーク５Ａのネットワーク名（ＳＳＩＤ）、無線通信の暗号化方式、ＩＰアドレス等の情報が含まれる。印刷装置２を接続させる無線ネットワーク５Ａとは、例えば、商業や医業などのサービスを提供する空間、例えば、小売店、飲食店、美容院・理容院、ホテル、イベント会場、病院等に設置されたアクセスポイント４Ａによって構築されるネットワークである。
接続制御部２６は、端末装置３から接続設定の情報を受信すると、第１無線通信部２２の通信設定を、受信した接続設定に従って変更し、印刷装置２を再起動させる。印刷装置２が再起動されることで、端末装置３と印刷装置２とを接続していた１対１の無線接続は、解消される。第１無線通信部２２は、再起動後に、第２モードによる無線通信を開始する。第１無線通信部２２は、接続設定に従って、例えば、図５に示すアクセスポイント４Ａに無線接続し、アクセスポイント４Ａが構築する無線ネットワーク５Ａに接続する。これにより、印刷装置２は、アクセスポイント４Ａが構築する無線ネットワーク５Ａに子機として参加し、アクセスポイント４Ａを介して他の子機と無線通信可能な状態となる。
【００３２】
次に、図６を参照しながら端末装置３について説明する。図６に、端末装置３の構成の一例を示す。端末装置３は、例えば、スマートフォン、タブレットＰＣ（Personal Computer）等の携帯端末である。端末装置３は、タッチパネル３２と、第２無線通信部３４と、これらを制御する制御部５０とを備える。
【００３３】
タッチパネル３２は、図１に示すように、端末装置３の前面のほぼ全域に設けられ、制御部５０の制御により各種情報を表示する。また、タッチパネル３２は、接触操作を検出する静電容量式や感圧式のセンサー（不図示）を備え、このセンサーによってタッチパネル３２に対するタッチ操作を検出して入力を受け付ける。
【００３４】
第２無線通信部３４は、後述する制御部５０の制御により、無線ＬＡＮ（例えば、Ｗｉ−Ｆｉ（登録商標））による無線通信を行う。第２無線通信部３４も無線通信のモードとして、第１モードと第２モードとを備える。
【００３５】
制御部５０は、ハードウェアとして、ＣＰＵ（Central Processing Unit）５１、ＲＯＭ（Read Only Memory）５２、ＲＡＭ（Random Access Memory）５３、不揮発性メモリー５４を備える。ＲＯＭ５２には、ＯＳ（Operating System）５２１や、アプリケーションプログラム（後述するＰＯＳアプリケーション５２２、接続設定アプリケーション５２３）等の制御プログラムが保存される。なお、ＯＳ５２１は、ｉＯＳ（登録商標）、Ａｎｄｒｏｉｄ（登録商標）、Ｗｉｎｄｏｗｓ（登録商標）ＲＴ、Ｗｉｎｄｏｗｓ（登録商標）８等の広く一般的に知られたＯＳを採用することができる。ＲＡＭ５３は、ＣＰＵ５１のワークメモリーとして使用され、ＣＰＵ５１が演算に使用するデータが保存される。ＣＰＵ５１がＲＯＭ５２に保存された制御プログラムを実行することにより実現される機能ブロックについては、図７を参照しながら説明する。
【００３６】
端末装置３の不揮発性メモリー５４には、印刷装置２を設定するときに使用する通信設定が記憶される。この通信設定は、識別子（ＳＳＩＤ）及び鍵情報（パスフレーズ）等を含む。この通信設定は、印刷装置２の不揮発性メモリー２４４にデフォルトの通信設定として記憶された通信設定と同一の情報を含む。不揮発性メモリー５４は、例えば、フラッシュメモリー、ＥＥＰＲＯＭ、ＳＤカード、磁気記憶装置等を用いることができる。
また、不揮発性メモリー５４には、印刷装置２の設定用の通信設定とは別に、少なくとも１つの通信設定を記憶できる。この通信設定は書き換え可能であり、例えばタッチパネル３２の操作により入力され、記憶される。
【００３７】
次に、図７を参照しながら制御部５０の機能ブロックについて説明する。制御部５０は、機能ブロックとして、会計処理を行う会計処理部５５と、無線ネットワーク５への接続処理を行う接続制御部５６とを備える。なお、会計処理部５５は、ＲＯＭ５２に保存されたＰＯＳアプリケーション５２２をＣＰＵ５１が読み出して実行することで実現される。また、接続制御部５６は、ＲＯＭ５２に保存された接続設定アプリケーション５２３をＣＰＵ５１が読み出して実行することで実現される。
【００３８】
会計処理部５５は、店員等のオペレーターがタッチパネル３２により入力した商品情報に基づいて決済処理（会計処理）を実行する。会計処理部５５は、決済処理の処理結果である決済情報に基づいてレシート印刷用の印刷データを生成する。会計処理部５５は、第２無線通信部３４が、無線ネットワーク５Ａに接続される場合には、生成した印刷データを第２無線通信部３４に渡す。第２無線通信部３４は、会計処理部５５から渡された印刷データを、無線ネットワーク５Ａ上の印刷装置２に送信する。印刷データを受信した印刷装置２は、印刷データをレシート用紙等に印刷する。
【００３９】
接続制御部５６は、例えば、タッチパネル３２の所定の操作入力を受け付けた場合に、第２無線通信部３４を第１モードで無線通信させ、同じく第１モードで無線通信する印刷装置２に無線接続させる。接続制御部５６は、第２無線通信部３４を、不揮発性メモリー５４に記憶されたデフォルトの通信設定に従って設定することで、第２無線通信部３４を第１モードで無線通信させる。第２無線通信部３４に、デフォルトのＳＳＩＤ、パスフレーズが設定されることで、第２無線通信部３４は、同一のＳＳＩＤとパスフレーズとが設定された印刷装置２に無線接続する。無線接続した第２無線通信部３４は、印刷装置２と直接、１対１で無線通信を行う。図４に、第１モードで無線通信する印刷装置２と端末装置３とが１対１で直接接続された様子を示す。
【００４０】
接続制御部５６は、印刷装置２と１対１で無線接続されると、タッチパネル３２に、接続設定の入力画面を表示させる。この接続設定は、印刷装置２を、無線ネットワーク５Ａに接続させるための情報であり、例えば、商業や医業などのサービスを提供する空間に設置されたアクセスポイント４Ａとの接続情報である。接続設定には、前述のように、ネットワーク名（ＳＳＩＤ）、無線通信の暗号化方式、ＩＰアドレス等が含まれる。接続制御部５６は、接続設定を、タッチパネル３２による入力操作等により受け付けると、受け付けた接続設定を、第１モードにより無線接続した印刷装置２に送信する。また、接続制御部５６は、受け付けた接続設定を、ＲＡＭ５３に保存する。
【００４１】
また、接続制御部５６は、接続設定が終了すると、第２無線通信部３４の通信設定を変更する。例えば、接続制御部５６は、印刷装置２に送信した接続設定に対応する設定を第２無線通信部３４に設定する。すなわち、接続制御部５６は、ネットワーク名（ＳＳＩＤ）、無線通信の暗号化方式等は、印刷装置２に送信した接続設定と同一の設定を第２無線通信部３４に設定する。しかし、ＩＰアドレス等の通信アドレスは、端末装置３の通信アドレスを第２無線通信部３４に設定する。端末装置３のＩＰアドレスの設定は、ＤＨＣＰ（Dynamic Host Configuration Protocol）サーバーにより自動的に割り当てるものであってもよい。また、接続制御部５６が、印刷テストの時にだけ使う一時的なＩＰアドレスの入力を促す表示をタッチパネル３２に表示させ、タッチパネル３２により受け付けたＩＰアドレスを使用して通信するものであってもよい。接続制御部５６により接続設定された第２無線通信部３４は、図８に示すアクセスポイント４Ａと無線通信を行い、アクセスポイント４Ａの構築する無線ネットワーク５Ａに接続する。これにより、端末装置３は、アクセスポイント４Ａの構築する無線ネットワーク５Ａに子機として参加し、他の子機である印刷装置２とアクセスポイント４Ａを介して無線通信可能な状態となる。図８に、アクセスポイント４Ａの構築する無線ネットワーク５Ａに、子機として参加する印刷装置２と端末装置３とを示す。
また、接続制御部５６は、接続設定が終了すると、印刷装置２との１対１の無線通信を解消し、印刷装置２を接続させる無線ネットワーク５Ａとは異なる他の無線ネットワークに接続するものであってもよい。例えば、接続制御部５６は、印刷装置２と１対１で無線接続する前に接続していたアクセスポイント４Ｂに無線接続し、無線ネットワーク５Ｂに復帰するものであってもよい。
【００４２】
接続制御部５６は、第２無線通信部３４がアクセスポイント４Ａに接続されると、所定の動作の要求に関する入力を案内する表示をタッチパネル３２に表示する。所定の動作の要求は、本実施形態においては、同一のアクセスポイント４Ａに接続した印刷装置２にテストパターンを印字させる印字テストの要求である。所定の動作の要求には、この他に、接続装置としてのスキャナー装置をアクセスポイント４Ａに無線接続した場合には、アクセスポイント４Ａに無線接続したスキャナー装置に、所定のテスト画像をスキャンさせるスキャン要求が含まれる。
接続制御部５６は、同一のアクセスポイント４Ａに接続した印刷装置２に、印字テストを実行させる操作入力をタッチパネル３２により入力した場合、印刷装置２に印刷させるテストパターンを会計処理部５５に生成させる。会計処理部５５は、接続制御部５６からテストパターンの生成要求を受け付けると、所定のテストパターンを生成して接続制御部５６に渡す。接続制御部５６は、第２無線通信部３４に設定した接続設定を参照して、印刷装置２のＩＰアドレスを取得し、取得したＩＰアドレス宛てに生成したテストパターンを送信する。
【００４３】
また、接続制御部５６は、テストパターンを送信した印刷装置２から、印字テストが正常終了したのか、異常終了したのかを示す終了状態フラグを受信する。接続制御部５６は、終了状態フラグを受信すると、受信した終了状態フラグに応じた表示をタッチパネル３２に表示させる。すなわち、終了状態フラグが正常終了を示す場合、接続制御部５６は、タッチパネル３２に「印字テストが正常終了しました」といった表示を表示させる（図９参照）。また、終了状態フラグが異常終了を示す場合、接続制御部５６は、タッチパネル３２に「印字テストが異常終了しました」といった表示を表示させる。また、接続制御部５６は、テストパターンを送信した印刷装置２から、所定のタイムアウト時間を経過しても終了状態フラグを受信しなかった場合にも、タッチパネル３２に「印字テストが異常終了しました」といった表示を表示させる。
【００４４】
また、アクセスポイント４Ａに、接続装置としてのスキャナー装置を接続させた場合には、接続制御部５６は、スキャナー装置によるテスト画像の読み取り結果をスキャナー装置から受信して、タッチパネル３２に表示させる。
【００４５】
次に、図１０及び図１１に示すフローチャートを参照しながら本実施形態の処理手順を説明する。また、図１２〜図１５には、図１０及び図１１の手順の実行中に端末装置３が表示する画面の例を示す。
端末装置３の接続制御部５６は、まず、所定の操作入力をタッチパネル３２で受け付けたか否かを判定する（ステップＳ１）。所定の操作入力とは、例えば、接続設定アプリケーション５２３が起動され、接続設定アプリケーション５２３によりタッチパネル３２に表示させた接続設定の表示が選択された場合である。肯定判定の場合、接続制御部５６は、第２無線通信部３４を第１モードによる無線通信を行うように設定する。接続制御部５６は、無線ネットワーク５の識別子であるＳＳＩＤ、暗号鍵であるパスフレーズ等のデフォルトの通信設定を不揮発性メモリー５４から読み出して、第２無線通信部３４に設定する（ステップＳ２）。
また、接続制御部５６は、既にアクセスポイント４Ｂと無線接続された状態において、接続設定アプリケーション５２３によりタッチパネル３２に表示させた接続設定の表示が選択された場合にも、第２無線通信部３４を第１モードに設定する。すなわち、接続制御部５６は、アクセスポイント４Ｂとの無線接続を解消して、デフォルトの通信設定を不揮発性メモリー５４から読み出して、第２無線通信部３４に設定する（ステップＳ２）。
また、所定の操作入力をタッチパネル３２で受け付けた場合（ステップＳ１／ＹＥＳ）、接続制御部５６は、タッチパネル３２に、図１２（Ａ）に例示する初期案内画面３０１を表示する。初期案内画面３０１は印刷装置２への設定を開始することを案内する画面である。
【００４６】
また、印刷装置２は、印刷装置２の電源が投入されると（ステップＳ２１／ＹＥＳ）、電源投入が、製品出荷後の最初の電源投入であるか否かを判定する（ステップＳ２２）。製品出荷後の最初の電源投入である場合、印刷装置２は、印刷装置２に設定された通信設定を印刷する（ステップＳ２３）。ここで印刷される通信設定には、不揮発性メモリー２４４に保存されたＳＳＩＤやパスフレーズが含まれる。すなわち、印刷装置２を第１モードで通信させた際に使用するＳＳＩＤやパスフレーズである。ユーザーは、印刷された通信設定を参照して、手動設定により印刷装置２と端末装置３とを１対１で無線接続することができる。
ここで、接続制御部５６は、タッチパネル３２に、図１２（Ｂ）に例示する印刷確認画面３０２を表示してもよい。印刷確認画面３０２は、印刷装置２が通信設定を印刷することを通知し、印刷の動作及び印刷内容の確認を促す画面である。
【００４７】
その後、印刷装置２の接続制御部２６は、第１無線通信部２２を第１モードによる無線通信を行うように設定する。接続制御部２６は、無線ネットワーク５の識別子であるＳＳＩＤ、暗号鍵であるパスフレーズ等のデフォルトの通信設定を不揮発性メモリー２４４から読み出して、第１無線通信部２２に設定する（ステップＳ２４）。なお、接続制御部２６は、この他に、操作部２１の接続設定ボタン２１２が押下された場合にも、第１無線通信部２２を第１モードによる無線通信を行うように設定する。すなわち、接続制御部２６は、接続する無線ネットワーク５の設定がされない初期状態の場合、つまり、製品出荷後に最初に印刷装置２の電源を投入する場合には、第１無線通信部２２を第１モードで無線通信させる。また、接続制御部２６は、接続する無線ネットワーク５Ａの設定がされていても、接続設定ボタン２１２が操作され、新たな無線ネットワーク５に接続する場合には、第１無線通信部２２を第１モードで無線通信させる。
【００４８】
第１無線通信部２２と、第２無線通信部３４とに同一のＳＳＩＤとパスフレーズとが設定されることで、第１無線通信部２２と第２無線通信部３４とが無線接続され、印刷装置２と端末装置３とが直接１対１で無線通信を行う（ステップＳ３、Ｓ２５）。この無線通信が確立されて、印刷装置２と端末装置３とが直接１対１で無線通信を行っている間、端末装置３の接続制御部５６は、タッチパネル３２に、図１３（Ａ）に例示する接続中画面３０３を表示してもよい。接続中画面３０３は、印刷装置２の通信設定を行うための通信中であることを通知する画面である。また、接続中画面には、印刷装置２の通信設定の手順と、その手順において現在実行中の段階を示す表示が含まれる。
ここで、端末装置３との接続の際、印刷装置２は、アクセスポイントとして動作し、端末装置３と１対１で無線接続する。図４に、第１モードで無線通信する印刷装置２と端末装置３とが１対１で直接接続された様子を示す。
【００４９】
次に、端末装置３の接続制御部５６は、第２無線通信部３４が第１モードで印刷装置２に接続されると、印刷装置２にＰｉｎｇコマンド（接続確認コマンド）を送信して、印刷装置２との接続を確認する（ステップＳ４）。印刷装置２の接続制御部２６は、Ｐｉｎｇコマンド（接続確認コマンド）を受信すると（ステップＳ２６）、印刷装置２のＭＡＣアドレスを、Ｐｉｎｇコマンド（接続確認コマンド）に対する応答として端末装置３に送信する（ステップＳ２７）。端末装置３の接続制御部５６は、ＭＡＣアドレスを受信すると（ステップＳ５）、受信したＭＡＣアドレスをＲＡＭ５３に保存する。また、接続制御部５６は、受信した印刷装置２のＭＡＣアドレスをタッチパネル３２に表示させるようにしてもよい。例えば、印刷装置２が複数台存在する場合に、端末装置３に接続した印刷装置２がどの印刷装置２であるのかを区別することができる。
【００５０】
次に、端末装置３の接続制御部５６は、印刷装置２の通信設定の取得要求を印刷装置２に送信する。印刷装置２の接続制御部２６は、端末装置３からの取得要求に従って、印刷装置２の通信設定を端末装置３に送信する（ステップＳ２８）。なお、ここで、端末装置３に送信される通信設定は、ステップＳ２２で印刷した通信設定と同一の内容であり、ＳＳＩＤ、通信プロトコル、暗号化方式、パスフレーズ、ＩＰアドレス等の通信アドレスが含まれる。また、この通信設定は、後述するステップＳ２９において、端末装置３から受信した接続設定に基づいて設定した情報である。また、製品出荷後に最初に電源が投入された場合の処理である場合、印刷装置２は端末装置３から接続設定を取得してない。この場合、印刷装置２の接続制御部２６は、製品出荷時に事前に設定された通信設定を端末装置３に送信する。端末装置３の接続制御部５６は、印刷装置２から送信された通信設定を受信して（ステップＳ６）、ＲＡＭ５３に保存する。
【００５１】
次に、端末装置３の接続制御部５６は、印刷装置２を新たに接続させる無線ネットワーク５Ａの接続設定の入力を受け付ける（ステップＳ７）。接続制御部５６は、タッチパネル３２に、例えば、印刷装置２を接続させる無線ネットワーク５Ａのネットワーク名（ＳＳＩＤ）、パスフレーズ、ＩＰアドレス等を入力させる入力画面を表示させる。無線ネットワーク５Ａのネットワーク名は、例えば、印刷装置２を、店舗等に配置したアクセスポイント４Ａによって構築される無線ネットワーク５Ａに接続させる場合、この無線ネットワーク５ＡのＳＳＩＤである。
また、接続制御部５６は、事前に登録され、不揮発性メモリー５４に保存された接続設定が存在する場合には、この接続設定の一覧をタッチパネル３２に表示させる。また、接続制御部５６は、ステップＳ６において受信した通信設定を接続設定としてタッチパネル３２に表示させてもよい。ユーザーは、一覧表示された接続設定の中から、印刷装置２を接続させるネットワーク名（ＳＳＩＤ）を選択する。又はユーザーは、タッチパネル３２の操作により、表示された接続設定を変更してネットワーク名を入力する。接続制御部５６は、ネットワーク名（ＳＳＩＤ）が選択されると、選択されたネットワークに設定されたパスフレーズ、印刷装置２の通信アドレス（ＩＰアドレス、ＭＡＣアドレス）等の入力画面をタッチパネル３２に表示させる。なお、通信アドレスは、ユーザーがタッチパネル３２を操作して直接入力するものであってもよいし、ＤＨＣＰサーバーから自動的に取得するものでもよい。
【００５２】
ステップＳ７で、接続制御部５６は、通信設定に関する入力を行うための通信設定入力画面をタッチパネル３２に表示する。この通信設定入力画面の例を、図１３（Ｂ）〜図１５（Ｂ）に示す。
図１３（Ｂ）の通信設定入力画面３０４は、印刷装置２に設定するＳＳＩＤ、すなわち無線ネットワーク５ＡのＳＳＩＤを入力する画面である。通信設定入力画面３０４には、端末装置３が第２無線通信部３４により探索した無線ネットワークのＳＳＩＤが一覧表示され、一覧表示されたＳＳＩＤの中からＳＳＩＤを選択できる構成となっている。この通信設定入力画面３０４の表示中に、タッチパネル３２へのタッチ操作により、ＳＳＩＤの設定方法として手動設定を選択することもでき、この場合はＳＳＩＤを直接、入力して設定できる。
【００５３】
図１４（Ａ）の通信設定入力画面３０５は、印刷装置２に設定する鍵情報、すなわち無線ネットワーク５Ａのパスフレーズを入力する画面である。通信設定入力画面３０５には、パスフレーズを入力するソフトウェアキーボードが表示される。この通信設定入力画面で暗号化方式を設定できる構成としてもよい。
また、図１４（Ｂ）の通信設定入力画面３０６は、印刷装置２が無線ネットワーク５Ａに接続した場合のネットワーク情報（ＩＰアドレス等）を入力する画面である。通信設定入力画面３０６では、ＩＰアドレスを含むネットワーク情報をＤＨＣＰサーバーから自動的に取得するよう設定できる。また、通信設定入力画面３０６には現在のネットワーク情報が表示されており、この表示に対するタッチ操作により、ネットワーク情報を、例えばソフトウェアキーボードにより手動で入力できる。
【００５４】
その後、接続制御部５６は、図１５（Ａ）に示すように、通信設定入力画面３０４、３０５、３０６で入力された通信設定を確認する通信設定確認画面３０７をタッチパネル３２に表示する。この通信設定確認画面３０７で通信設定が確認された後、接続制御部５６は、通信設定を印刷装置２に送信する動作を実行する。
【００５５】
すなわち、端末装置３の接続制御部５６は、タッチパネル３２の操作入力等により、接続設定の入力を受け付けると、受け付けた接続設定を印刷装置２に送信する（ステップＳ８）。印刷装置２の接続制御部２６は、接続設定を受信すると（ステップＳ２９）、受信した接続設定を第１無線通信部２２に設定して、印刷装置２を再起動させる（ステップＳ３０）。印刷装置２が再起動されることで、端末装置３と印刷装置２とを接続していた１対１の無線接続は、解消される。また、印刷装置２に再起動を開始させた後、接続制御部５６は、タッチパネル３２に、図１５（Ｂ）の案内画面３０８を表示してもよい。この案内画面３０８は、通信設定が終了して、印刷装置２が再起動することを案内する画面である。
【００５６】
端末装置３のステップＳ８、印刷装置２のステップＳ３０以降の処理手順について、図１１に示すフローチャートを参照しながら引き続き説明する。
端末装置３の接続制御部５６は、接続設定を印刷装置２に送信すると、印刷装置２に送信した接続設定に対応する設定を第２無線通信部３４に設定する。すなわち、接続制御部５６は、ネットワーク名（ＳＳＩＤ）、無線通信の暗号化方式等は、印刷装置２に送信した接続設定と同一の設定を第２無線通信部３４に設定する。しかし、ＩＰアドレス等の通信アドレスは、端末装置３の通信アドレスを第２無線通信部３４に設定する。ＩＰアドレスの設定は、ＤＨＣＰサーバーにより自動的に割り当てるものであってもよい。また、接続制御部５６が、印刷テストの時にだけ使う一時的なＩＰアドレスの入力を促す表示をタッチパネル３２に表示させ、タッチパネル３２により受け付けたＩＰアドレスを使用して通信するものであってもよい。接続制御部５６により接続設定された第２無線通信部３４は、図８に示すアクセスポイント４Ａと無線通信を行って、アクセスポイント４Ａが構築する無線ネットワーク５Ａに接続する（ステップＳ９）。
【００５７】
同様に、印刷装置２の接続制御部２６は、端末装置３から接続設定を受信すると、受信した接続設定をＲＡＭ２４３に保存すると共に、第１無線通信部２２に設定する。接続制御部２６により接続設定された第１無線通信部２２は、図８に示すアクセスポイント４Ａと無線通信を行って、アクセスポイント４Ａが構築する無線ネットワーク５Ａに接続する（ステップＳ３１）。これにより、端末装置３と印刷装置２とは、アクセスポイント４Ａが構築する無線ネットワーク５Ａに子機として参加し、アクセスポイント４Ａを介して無線通信を行うことが可能となる。
また、ステップＳ２３の判定が否定判定の場合、印刷装置２の接続制御部２６は、事前に設定され、不揮発性メモリー２４４に保存した接続設定を読み出し、読み出した接続設定を第１無線通信部２２に設定する（ステップＳ３１）。
【００５８】
端末装置３と印刷装置２とがアクセスポイント４Ａに接続されると、端末装置３の接続制御部５６は、端末装置３がアクセスポイント４Ａに接続した旨と、印刷装置２の印字テストを実行するか否かを問い合わせるメッセージをタッチパネル３２に表示させる。印字テストを実行するとの操作入力を、タッチパネル３２で受け付けると、接続制御部５６は、会計処理部５５に印字テスト用のテストパターンの生成を依頼する。会計処理部５５は、接続制御部５６から依頼されたテストパターンを生成して接続制御部５６に渡す。接続制御部５６は、会計処理部５５からテストパターンを取得すると、取得したテストパターンと、印字テストの実行要求とを印刷装置２に送信する（ステップＳ１０）。接続制御部５６は、第２無線通信部３４に設定した接続設定を参照して、印刷装置２のＩＰアドレスを取得し、取得したＩＰアドレス宛てに生成したテストパターンを送信する（ステップＳ１０）。
【００５９】
印刷装置２の接続制御部２６は、印字テストの実行要求を受信すると（ステップＳ３２）、受信したテストパターンを印刷制御部２５に渡す。印刷制御部２５は、印刷部２３を制御して、テストパターンをレシート用紙に印字する（ステップＳ３３）。印刷制御部２５は、テストパターンの印字結果を接続制御部２６に渡す。接続制御部２６は、印刷制御部２５から取得した印字結果に従って印字テストが正常終了したのか、異常終了したのかを示す終了状態フラグを生成し、端末装置３に送信する（ステップＳ３４）。
【００６０】
端末装置３の接続制御部５６は、印刷装置２から終了状態フラグを受信すると（ステップＳ１１）、受信した終了状態フラグに応じた表示をタッチパネル３２に表示させる（ステップＳ１２）。接続制御部５６は、終了状態フラグが正常終了を示す場合には、接続制御部５６は、タッチパネル３２に「印字テストが正常終了しました」といった表示を表示させる（図９参照）。また、接続制御部５６は、終了状態フラグが異常終了を示す場合には、タッチパネル３２に「印字テストが異常終了しました」といった表示を表示させる。なお、接続制御部５６は、テストパターンを送信した印刷装置２から、所定のタイムアウト時間を経過しても終了状態フラグを受信しなかった場合にも、タッチパネル３２に「印字テストが異常終了しました」といった表示を表示させてもよい。
【００６１】
印字テストが終了すると、端末装置３の接続制御部５６は、第２無線通信部３４の通信設定を変更する。例えば、接続制御部５６は、第２モードによりアクセスポイント４Ｂと無線通信し、アクセスポイント４Ｂに無線接続する。
【００６２】
以上説明したように、本発明を適用した実施形態の通信システム１は、無線ネットワーク５Ａに新規に接続する印刷装置２と、印刷装置２に無線ネットワーク５Ａへの接続に関する接続設定を行う端末装置３とを備える。印刷装置２は、所定の条件下において、予め定められた通信設定に従って端末装置３に無線接続する第１モードを実行する。また、端末装置３は、第１モードを実行する印刷装置２に無線接続して、接続設定を実行し、設定後に印刷装置２との無線接続を終了する。従って、無線ネットワーク５Ａに新規に接続する印刷装置２の設定を、端末装置３の制御により行うことができる。端末装置３の機能を利用して印刷装置２の設定を行うので、例えば印刷装置２においては設定内容の入力操作を省略したり、簡易化したりすることが可能になる。さらに、印刷装置２が予め定められた通信設定を利用することにより、端末装置３を印刷装置２に容易に接続できる。このため、印刷装置２を無線ネットワーク５Ａに接続する接続設定に伴う作業を簡易化できる。
【００６３】
また、印刷装置２は第１無線通信部２２を備え、端末装置３は第２無線通信部３４を備える。印刷装置２は、第１モードで、第１無線通信部２２を予め定められた通信設定に従って動作させる。端末装置３は、印刷装置２で予め定められた通信設定に対応する通信設定に従って第２無線通信部３４を動作させて、印刷装置２に無線接続し、接続設定後に第２無線通信部３４の通信設定を変更する。従って、印刷装置２と端末装置３とを予め定められた通信設定により無線接続して、印刷装置２を接続させる無線ネットワーク５Ａの接続設定を、端末装置３の制御により行うことができる。このため、印刷装置２を無線ネットワーク５Ａに接続する接続設定に伴う作業を簡易化できる。
【００６４】
また、印刷装置２は、端末装置３により接続設定がされた後に、第１無線通信部２２の通信設定を接続設定に従って変更し、第１無線通信部２２により無線ネットワーク５Ａに無線接続する。従って、端末装置３により設定された接続設定に従って、印刷装置２を無線ネットワーク５Ａに無線接続させることができる。
【００６５】
また、印刷装置２は、端末装置３により接続設定がされた後に、第１無線通信部２２を再起動させて第１無線通信部２２の通信設定を変更する。従って、第１無線通信部２２の通信設定の変更を有効にすることができる。
【００６６】
また、印刷装置２は、第１無線通信部２２の設定が初期状態である場合に、第１モードを実行し、第１無線通信部２２が端末装置３により通信設定された状態である場合は無線ネットワーク５Ａに接続する。従って、第１無線通信部２２の通信設定がなされない初期状態においては、第１モードにより印刷装置２と端末装置３とを接続して、印刷装置２を接続させるネットワークの接続設定を、端末装置３の制御により行うことができる。また、第１無線通信部２２が通信設定された場合には、第１無線通信部２２を、設定された無線ネットワーク５Ａに自動的に接続することができる。
【００６７】
また、印刷装置２は、第１モードの実行中において少なくとも端末装置３が接続設定を実行するときに、端末装置３と１対１で無線接続する。従って、印刷装置２と端末装置３とを１対１で簡単に接続して、印刷装置２を接続させる無線ネットワーク５Ａの接続設定を、端末装置３の制御により行うことができる。
【００６８】
なお、上述した実施形態は、本発明の好適な実施の形態である。ただし、これに限定されるものではなく、本発明の要旨を逸脱しない範囲内において種々の変形実施が可能である。
例えば、上述した実施形態では、端末装置３は、印刷装置２を新規に接続させる無線ネットワーク５Ａの接続設定を行うと、端末装置３自身もこの無線ネットワーク５Ａに接続して、印刷装置２の印字テスト等を行っていた。しかし、印刷装置２に、印字テスト等の所定の動作の要求を行わない場合、又は既に無線ネットワーク５Ａに接続した別の端末装置３により印刷装置２の印字テストを行う場合、端末装置３を、印刷装置２の接続した無線ネットワーク５Ａに接続させる必要はない。すなわち、端末装置３は、印刷装置２を新規に接続させる無線ネットワーク５Ａの接続設定を行うと、印刷装置２との無線接続を終了（解消）する。例えば、印刷装置２との無線接続を終了（解消）した接続制御部５６は、印刷装置２と１対１で無線接続する前に接続していたアクセスポイント４Ｂに無線接続し、無線ネットワーク５Ｂに復帰するものであってもよい。
また、上述した実施形態では、端末装置３を用いて、印刷装置２を新規に接続させる無線ネットワーク５Ａの接続設定を行う場合を例に説明したが、無線ネットワーク５Ａに限らず、印刷装置２を有線ネットワークに接続させる場合にも効果を発揮する。例えば、接続装置としての印刷装置２に有線ネットワークに接続されるＮＩＣ（ＬＡＮカード等）を設け、このＮＩＣの通信設定を、端末装置３から、図４に示した無線通信により設定してもよい。
【００６９】
また、上記実施形態では接続装置として印刷装置２を備えた構成例を説明したが、本発明はこれに限定されるものではなく、画像を光学的に読み取るスキャナー装置や、画像を表示する表示装置、或いは、その他の装置を備えた構成とすることもできる。
【符号の説明】
【００７０】
１…通信システム、２…印刷装置（接続装置）、３…端末装置、４Ａ，４Ｂ…アクセスポイント、５Ａ……無線ネットワーク（ネットワーク）、５Ｂ…無線ネットワーク、２２…第１無線通信部（第１の無線通信部）、２４…制御部、２５…印刷制御部、２６…接続制御部、３２…タッチパネル（表示部、入力部）、３４…第２無線通信部（第２の無線通信部）、５０…制御部、５５…会計処理部、５６…接続制御部。
【図１】
0006528365.tif 000002
【図２】
0006528365.tif 000003
【図３】
0006528365.tif 000004
【図４】
0006528365.tif 000005
【図５】
0006528365.tif 000006
【図６】
0006528365.tif 000007
【図７】
0006528365.tif 000008
【図８】
0006528365.tif 000009
【図９】
0006528365.tif 000010
【図１０】
0006528365.tif 000011
【図１１】
0006528365.tif 000012
【図１２】
0006528365.tif 000013
【図１３】
0006528365.tif 000014
【図１４】
0006528365.tif 000015
【図１５】
0006528365.tif 000016